(57)【要約】【課題】構造解析および構造設計を単純化でき、しかも本体部に偏心荷重をかけることもない、コンクリート建造物の接合構造およびその施工方法を提供する。【解決手段】ピン接合板１０を柱Ｃおよび梁Ｂに埋設して接合し、かつ、その接合部における接合を縁切板２０により縁切りしてなるコンクリート建造物の接合構造である。縁切板２０には、ピン接合板１０と干渉する部分にスリット２１が形成されている。【選択図】図１
2009281011.tif 000002
【特許請求の範囲】
【請求項１】
コンクリート建造物の接合構造であって、
ピン接合板を一方の接合要素および他方の接合要素に埋設して接合し、かつ、両接合要素の接合部における接合を縁切板により縁切りしてなることを特徴とするコンクリート建造物の接合構造。
【請求項２】
ピン接合板に取付部材を設け、
一方の接合要素および他方の接合要素にそれぞれ助成部材を設け、
前記取付部材を前記助成部材に取付けてなる
ことを特徴とする請求項１記載のコンクリート建造物の接合構造。
【請求項３】
ピン接合板に付着孔を設けてなることを特徴とする請求項１記載のコンクリート建造物の接合構造。
【請求項４】
縁切板にピン接合板との干渉を回避するスリットが形成されてなることを特徴とする請求項１記載のコンクリート建造物の接合構造。
【請求項５】
縁切板の外周に目地棒が配設されてなることを特徴とする請求項１記載のコンクリート建造物の接合構造。
【請求項６】
コンクリート建造物の接合構造の施工方法であって、
一方の接合要素および他方の接合要素にピン接合板を配設する手順と、
両接合要素の接合部に縁切板を配設する手順
とを含むことを特徴とするコンクリート建造物の接合構造の施工方法。
【請求項７】
ピン接合板が取付部材を有し、
前記取付部材を一方の接合要素および他方の接合要素にそれそれ設けられた助成部材に取付ける手順が付加されていることを特徴とする請求項６記載のコンクリート建造物の接合構造の施工方法。
【請求項８】
縁切板の外周に目地棒を配設する手順が付加されていることを特徴とする請求項６記載のコンクリート建造物の接合構造の施工方法。
【発明の詳細な説明】
【技術分野】
【０００１】
本発明は、コンクリート建造物の接合構造およびその施工方法に関する。さらに詳しくは、コンクリート建造物における接合部をピン接合とするコンクリート建造物の接合構造およびその施工方法に関する。
【背景技術】
【０００２】
従来より、コンクリート建造物における梁端部は、柱や他の梁へ主筋を定着し、ついでコンクリートを打設するという工法が一般的に採用されている。その結果、梁端部は剛接合となる。
【０００３】
しかしながら、かかる工法を例えば図１０に示すような陸立ち柱と大梁との接合箇所に適用した場合、柱断面を大きくする必要があるとともに、本体部に偏心荷重をかけるようになるという問題がある。
【０００４】
また、構造解析および構造設計も煩雑になるという問題もある。
【発明の開示】
【発明が解決しようとする課題】
【０００５】
本発明はかかる従来技術の課題に鑑みなされたものであって、構造解析および構造設計を単純化でき、しかも本体部に偏心荷重をかけることもない、コンクリート建造物の接合構造およびその施工方法を提供することを目的としている。
【課題を解決するための手段】
【０００６】
本発明のコンクリート建造物の接合構造は、ピン接合板を一方の接合要素および他方の接合要素に埋設して接合し、かつ、両接合要素の接合部における接合を縁切板により縁切りしてなることを特徴とする。
【０００７】
本発明のコンクリート建造物の接合構造においては、ピン接合板に取付部材を設け、  一方の接合要素および他方の接合要素にそれぞれ助成部材を設け、前記取付部材を前記助成部材に取付けてなるのが好ましい。
【０００８】
また、本発明のコンクリート建造物の接合構造においては、ピン接合板に付着孔を設けてなるのが好ましい。
【０００９】
さらに、本発明のコンクリート建造物の接合構造においては、縁切板にピン接合板との干渉を回避するスリットが形成されてなるのが好ましい。
【００１０】
さらに、本発明のコンクリート建造物の接合構造においては、縁切板の外周に目地棒が配設されてなるのが好ましい。
【００１１】
本発明のコンクリート建造物の接合構造の施工方法は、一方の接合要素および他方の接合要素にピン接合板を配設する手順と、両接合要素の接合部に縁切板を配設する手順とを含むことを特徴とする。
【００１２】
本発明のコンクリート建造物の接合構造の施工方法においては、ピン接合板が取付部材を有し、前記取付部材を一方の接合要素および他方の接合要素にそれそれ設けられた助成部材に取付ける手順が付加されているのが好ましい。
【００１３】
また、本発明のコンクリート建造物の接合構造の施工方法においては、縁切板の外周に目地棒を配設する手順が付加されているのが好ましい。
【発明の効果】
【００１４】
本発明によれば、コンクリート建造物における接合部をピン接合とすることができるので、構造解析および構造設計が単純化されるという優れた効果が得られる。
【発明を実施するための最良の形態】
【００１５】
以下、添付図面を参照しながら本発明を実施形態に基づいて説明するが、本発明はかかる実施形態のみに限定されるものではない。
【００１６】
実施形態１
図１に、本発明の実施形態１に係るコンクリート建造物の接合構造（以下、単に接合構造という）Ｋを示す。なお、本実施形態では、一方の接合要素は柱Ｃとされ、他方の接合要素は梁Ｂとされる。
【００１７】
接合構造Ｋは、図１に示すように、柱Ｃに梁Ｂを接合するための接合構造とされる。
【００１８】
接合構造Ｋは、具体的には、柱Ｃと梁Ｂとをピン接合とするピン接合板１０と、柱Ｃと梁Ｂとの縁切りをなす縁切板２０とを備えてなるものとされる。
【００１９】
ピン接合板１０は、柱Ｃのコンクリートに埋設される柱埋設部１１と、梁Ｂのコンクリートに埋設される梁埋設部１２とを含むものとされる。また、ピン接合板１０のサイズは、例えば幅が２００ｍｍで長さが６００ｍｍとされ、板厚は、６ｍｍ〜４０ｍｍの範囲で必要耐力に応じて適宜選定される。
【００２０】
柱埋設部１１には、所要数（図示例では２個）の付着孔（孔径は、例えば４５ｍｍφとされる。）１１ａが設けられている。なお、付着孔１１ａの数は必要耐力に応じて適宜増減される。また、図示例では付着孔１１ａは単列配置とされているが、複列配置とされてもよい。さらに、千鳥配置とされてもよい。
【００２１】
梁埋設部１２には、柱埋設部１１と同様に、所要数（図示例では２個）の付着孔１２ａが設けられている。なお、付着孔１２ａの数は必要耐力に応じて適宜増減される。また、図示例では付着孔１２ａは単列配置とされているが、複列配置とされてもよい。さらに、千鳥配置とされてもよい。
【００２２】
また、柱埋設部１１と梁埋設部１２との境界部１３には、防錆塗装がなされている。
【００２３】
縁切板２０は、梁Ｂ端面と同サイズとされて梁Ｂ端面部に設けられるものとされる。また、材質は、例えば厚みが２５ｍｍのスタイロフォームとされる。
【００２４】
また、縁切板２０にはピン接合板１０との対応箇所に、図に示すように、スリット２１が下端から所定長さで設けられている。このスリット２１のピン接合板１０から下の部分は、角形のスリット用部材２２が埋め込まれて塞がれる。
【００２５】
次に、かかる構成とされた接合構造Ｋの施工について説明する。
【００２６】
手順１：柱Ｃおよび梁Ｂの配筋をなす。
【００２７】
手順２：柱Ｃと梁Ｂとの接合部にピン接合板１０をセットする。このセットは、例えばピン接合板１０を柱Ｃの鉄筋および梁Ｂの鉄筋に番線留めすることによりなされる。
【００２８】
手順３：縁切板２０をセットする。このセットは、縁切板２０の表面（柱Ｃに面する面）が、柱Ｃのコンクリート表面に当接するよう調整される。
【００２９】
手順４：縁切板２０のスリットのピン接合板１０の下方に位置する部分にスリット用部材２２を装着した後、テーピング２３を施してスリット用部材２２の脱落を防止する（図７参照）。
【００３０】
手順５：ピン接合板１０の位置調整を行う。
【００３１】
手順６：柱Ｃおよび梁Ｂに型枠をセットする。
【００３２】
手順７：柱Ｃおよび梁Ｂの型枠内にコンクリートを打設する。
【００３３】
手順８：所定の養生の後、型枠を撤去する。
【００３４】
これにより、柱Ｃと梁Ｂとのピン接合が完成する。
【００３５】
このように、この実施形態１によれば、柱Ｃと梁Ｂとの接合部にピン接合板１０を埋設して両者を接合するとともに、その接合部に縁切板２０を介装して縁切りしているので、柱Ｃと梁Ｂとの接合部をピン接合とすることができる。
【００３６】
また、柱Ｃと梁Ｂとの接合部がピン接合とされているので、構造解析および構造設計が単純化される。
【００３７】
実施形態２
図２に、本発明の実施形態２に係るコンクリート建造物の接合構造（以下、単に接合構造という）Ｋ１を示す。なお、本実施形態では、一方の接合要素は主梁ＭＢとされ、他方の接合要素は大梁ＬＢとされる。
【００３８】
接合構造Ｋ１は、図２に示すように、主梁ＭＢに大梁ＬＢを直交させて接合するための接合構造とされる。
【００３９】
接合構造Ｋ１は、主梁ＭＢと大梁ＬＢとをピン接合とするピン接合板１０と、主梁ＭＢと大梁ＬＢとの縁切りをなす縁切板２０とを備えてなるものとされる。
【００４０】
ピン接合板１０および縁切板２０は、実施形態１と同様とされているので、その構成の詳細な説明は省略する。
【００４１】
このように、この実施形態２によれば、実施形態１と同様に主梁ＭＢと大梁ＬＢとの接合部に縁切板２０を介装して縁切りしているので、主梁ＭＢと大梁ＬＢとの接合部をピン接合とすることができる。
【００４２】
また、主梁ＭＢと大梁ＬＢとの接合部がピン接合とされているので、構造解析および構造設計が単純化される。
【００４３】
実施形態３
図３に、本発明の実施形態３に係るコンクリート建造物の接合構造（以下、単に接合構造という）Ｋ２を示す。実施形態３は実施形態１を改変してなるものであって、ピン接合板１０に柱Ｃ主筋との取付部材１４および梁Ｂ主筋との取付部材１５を設けるとともに、柱Ｃ側および梁Ｂ側にそれの取付けを助成する助成部材１６，１７を設けてなるものとされる。ここで、取付部材１４および取付部材１５は、具体的には、取付筋とされ、助成部材１６，１７は、具体的には、段取筋とされる。
【００４４】
なお、図３中、図１と同一の符号は同一または類似の構成要素を示す。
【００４５】
すなわち、図３および図４に示すように、ピン接合板１０の柱埋設部１１の前部（梁埋設部１２側）および後部に柱側取付筋１４を溶接取付けするとともに、梁埋設部１２の前部（柱埋設部１１側）および後部に梁側取付筋１５を溶接取付けしてなるものとされる。また、ピン接合板１０の柱埋設部１１の前部にはフープを挿通するためのフープ用長孔１１ｂが形成されるとともに、梁埋設部１２の前部にはフープを挿通するためのフープ用長孔１２ｂが形成されている。
【００４６】
取付筋１４，１５の長さは、上部および下部がピン接合板１０の上端および下端からそれそれ所定長さ、例えば５０ｍｍ−１００ｍｍ突出するよう調整されている。
【００４７】
縁切板２０は、外周に目地棒２４が配設できるよう梁Ｂの断面より所定寸法小さくされている。目地棒２４を設けるのは、縁切板２０の位置ずれを防止するためである。
【００４８】
助成部材１６，１７は、具体的には、柱Ｃおよび梁Ｂの所定位置に設けられる段取筋とされる。
【００４９】
次に、かかる構成とされた接合構造Ｋ２の施工について説明する。
【００５０】
手順１：柱Ｃおよび梁Ｂのピン接合板１０が取付けられる位置に対応する位置、例えば柱Ｃおよび梁Ｂ中央の上下に柱側および梁側段取筋１６，１７をそれぞれの主筋に取付ける（図５参照）。この場合、下側の柱側段取筋１６のレベルは、下側の梁側段取筋１７のレベルに一致させられるのが好ましい。
【００５１】
なお、段取筋１６，１７の取付けは、例えば柱Ｃおよび梁Ｂ主筋に段取筋１６，１７を番線留めすることによりなされる。
【００５２】
手順２：柱側取付筋１４および梁側取付筋１５のそれぞれの長さを、柱側段取筋１６および梁側段取筋１７との現物合わせにより調整する。つまり、柱側取付筋１４および梁側取付筋１５の柱側段取筋１６および梁側段取筋１７から突出している部分を所定量切断する。
【００５３】
手順３：柱側取付筋１４および梁側取付筋１５を柱側段取筋１６および梁側段取筋１７にそれぞれ取付ける（図６参照）。この取付けは、例えば段取筋１６，１７に取付筋１４，１５を番線留めすることによりなされる。
【００５４】
手順４：縁切板２０をセットする。このセットは、縁切板２０の表面（柱Ｃに面する面）が、柱Ｃのコンクリート表面に当接するよう調整される。
【００５５】
手順５：縁切板２０のスリット２１のピン接合板１０の下方に位置する部分にスリット用部材２２を装着した後、テーピング２３を施してスリット用部材２２の脱落を防止する（図７参照）。
【００５６】
手順６：縁切板２０の外周に目地棒２４、２５，２６を配設して釘留めする（図７参照）。図７中、一点鎖線は釘留め位置を示す。
【００５７】
手順７：ピン接合板１０の位置調整を行う（図８参照）。
【００５８】
手順８：柱Ｃおよび梁Ｂに型枠をセットする。
【００５９】
手順９：柱Ｃおよび梁Ｂの型枠内にコンクリートを打設する。
【００６０】
手順１０：所定の養生の後、型枠を撤去する。
【００６１】
これにより、柱Ｃと梁Ｂとのピン接合が完成する。
【００６２】
このように、この実施形態３では、ピン接合板１０に取付筋１４，１５を設けるとともに、柱Ｃ側および梁Ｂ側に取付筋１４，１５と係合される段取筋１６，１７を設けてそのセットを助成しているので、ピン接合板１０の取付けが容易となる、という実施形態１では得られない効果も得られる。
【００６３】
実施形態４
図９に、本発明の実施形態４に係るコンクリート建造物の接合構造（以下、単に接合構造という）Ｋ３を示す。実施形態４は実施形態２を改変してなるものであって、ピン接合板１０に主梁ＭＢ主筋との取付部材１８および大梁ＬＢ主筋との取付部材１５を設けるとともに、主梁ＭＢ側および大梁ＬＢ側にそれの取付けを助成する助成部材１９，１７を設けてなるものとされる。ここで、取付部材１８および取付部材１５は、具体的には、取付筋とされ、助成部材１９，１７は、具体的には、段取筋とされる。
【００６４】
なお、図９中、図２と同一の符号は同一または類似の構成要素を示す。
【００６５】
主梁ＭＢ側の段取筋１９は主梁ＭＢの主筋に取付けられる一方、大梁ＬＢ側の段取筋１７は大梁ＬＢの主筋に取付けられる。
【００６６】
なお、その余の構成および作用・効果は、実施形態３と同様とされている。
【００６７】
以上、本発明を実施形態に基づいて説明してきたが、本発明はかかる実施形態のみに限定されるものではなく、種々改変が可能である。
【００６８】
例えば、図１０〜図１３に示す接合部に適用できる。
【００６９】
すなわち、図１０に示すように、陸立ち柱と大梁との接合部に適用でき、図１１に示すように、耐震壁を有するコンクリート建物の接合部に適用でき、図１２に示すように、階の中間に設けられ梁の柱との接合部に適用でき、図１３に示すように、段差のある梁と柱との接合部に適用できる。
【産業上の利用可能性】
【００７０】
本発明は、コンクリート建造物の接合部に適用できる。
【図面の簡単な説明】
【００７１】
【図１】本発明の実施形態１に係る接合構造の三面図である。
【図２】本発明の実施形態２に係る接合構造の概略図である。
【図３】本発明の実施形態３に係る接合構造の二面図である。
【図４】同実施形態に係るピン接合板の詳細図である。
【図５】同実施形態に係る接合構造の施工手順の説明図であって、主筋に段取筋をセットした状態を示す。
【図６】同実施形態に係る接合構造の施工手順の説明図であって、取付筋を段取筋に取付けた状態を示す。
【図７】同実施形態に係る接合構造の施工手順の説明図であって、縁切板をセットした状態を示す。
【図８】同実施形態に係る接合構造の施工手順の説明図であって、ピン接合板を位置調整した状態を示す。
【図９】本発明の実施形態４に係る接合構造の二面図である。
【図１０】本発明の接合構造の適用例の一例の概略図である。
【図１１】本発明の接合構造の適用例の他の例の概略図である。
【図１２】本発明の接合構造の適用例のさらに他の例の概略図である。
【図１３】本発明の接合構造の適用例のさらに他の例の概略図である。
【符号の説明】
【００７２】
１０                ピン接合板
１１                柱埋設部
１１ａ              付着孔
１２                梁埋設部
１２ａ              付着孔
１３                境界部
１４，１５          取付部材、取付筋
１６，１７          助成部材、段鉄筋
２０                縁切板
２１                スリット
２２                スリット用部材
２４，２５，２６    目地棒
Ｋ                接合構造
【図１】
2009281011.tif 000003
【図２】
2009281011.tif 000004
【図３】
2009281011.tif 000005
【図４】
2009281011.tif 000006
【図５】
2009281011.tif 000007
【図６】
2009281011.tif 000008
【図７】
2009281011.tif 000009
【図８】
2009281011.tif 000010
【図９】
2009281011.tif 000011
【図１０】
2009281011.tif 000012
【図１１】
2009281011.tif 000013
【図１２】
2009281011.tif 000014
【図１３】
2009281011.tif 000015